(57)【要約】【課題】ディスクをディスク保持部に確実に定置させることができるディスク装置を提供すること。【解決手段】ディスク挿入口２１１が形成された筐体２１０と、ディスクを保持するディスク保持部としてのターンテーブル２２２と、ディスク挿入口２１１に挿入されたディスクをガイド部材２４０の摺接面２４１との間に挟持してターンテーブル２２２に搬送する搬送ローラ対２５３、２５４と、搬送ローラ対２５３、２５４によって搬送されたディスクの外周部に当接してディスクをターンテーブル２２２に定置させる定置部材２６０ａ、２６０ｂ、２７０ａ、２７０ｂと、搬送ローラ対２５３、２５４の間に介在して搬送ローラ対２５３、２５４を軸部材２５２の端部２５２ａ、２５２ｂ側に離隔させるカラー２５５とを備えるように構成する。【選択図】　　　図２
2004095113.tif 000002
【特許請求の範囲】
【請求項１】
ディスクが挿入されるディスク挿入口が形成された筐体と、前記筐体に回転可能に支持され、前記ディスクを保持するディスク保持部と、前記筐体の前記ディスク挿入口に沿って配設され、前記ディスクの一面に摺接する摺接面を有するガイド部材と、
前記筐体に回動可能に支持され、前記ガイド部材の前記摺接面に対して平行に配設された軸部材と、
前記軸部材に同軸に保持され、前記筐体の前記ディスク挿入口に挿入された前記ディスクを前記ガイド部材の前記摺接面との間に挟持して前記ディスク保持部に搬送する搬送ローラ対と、
前記ディスク保持部の周囲に配設され、前記搬送ローラ対によって搬送された前記ディスクの外周部に当接して前記ディスクを前記ディスク保持部に定置させる定置部材と、
前記軸部材に装着され、前記搬送ローラ対の間に介在して前記搬送ローラ対を前記軸部材の両端部側に離隔させる離隔部材とを備えたことを特徴とするディスク装置。
【請求項２】
前記離隔部材は、少なくとも挿入される前記ディスクに対向する面において前記搬送ローラ対よりも外径が小さくなるように設けられたことを特徴とする請求項１に記載のディスク装置。
【請求項３】
前記離隔部材は、前記搬送ローラ対側に位置する両端部と、前記両端部の中間に位置する中間部とを有し、少なくとも挿入される前記ディスクに対向する面において前記両端部から前記中間部に向かって外径が小さくなるように設けられたことを特徴とする請求項１または請求項２に記載のディスク装置。
【請求項４】
前記離隔部材は、自己潤滑性を有する樹脂によって形成されたことを特徴とする請求項１から請求項３までの何れかに記載のディスク装置。
【請求項５】
請求項１から請求項４までの何れかに記載のディスク装置を備えたことを特徴とする電子機器。
【発明の詳細な説明】
【０００１】
【発明の属する技術分野】
本発明は、外径が異なる２種類のディスクを搬送するディスク装置に関するものである。
【０００２】
【従来の技術】
従来、この種のディスク装置としては、ＤＶＤ（Ｄｉｇｉｔａｌ　Ｖｅｒｓａｔｉｌｅ　Ｄｉｓｃ）、ＣＤ（Ｃｏｍｐａｃｔ　Ｄｉｓｃ）などのディスクを駆動して情報の記録または再生を行うディスク装置が普及している（例えば、特許文献１参照。）。
【０００３】
このような従来のディスク装置３００は、図１４および図１５に示すように、１２ｃｍディスクおよび８ｃｍディスクを含むディスクが挿入されるディスク挿入口３１１が形成された筐体３１０と、筐体３１０に回転可能に支持され、ディスクを保持するディスク保持部３２２と、ディスク挿入口３１１に沿って配設され、ディスクの一面に摺接する摺接面３４１を有するガイド部材３４０と、筐体３１０に回動可能に支持され、ガイド部材３４０の摺接面３４１に対して平行に配設された軸部材３５２と、軸部材３５２に同軸に保持され、ディスク挿入口３１１に挿入されたディスクをガイド部材３４０の摺接面３４１との間に挟持してディスク保持部３２２に搬送する搬送ローラ対３５３、３５４と、ディスク保持部３２２の周囲に配設され、搬送ローラ対３５３、３５４によって搬送されたディスクの外周部に当接して８ｃｍディスクをディスク保持部３２２に定置させる定置部材３７０ａ、３７０ｂと備えている。ディスク挿入口３１１は、筐体３１０の角側に位置する端部３１１ａ、３１１ｂと、端部３１１ａ、３１１ｂの中央に位置する中央部３１１ｃとを有している。
【０００４】
以下、ディスク装置３００が８ｃｍディスクを搬送する際の動作について説明する。なお、図１６から図１９において、網目状のハッチングを付した部分は、部材の断面を示すものではなく、ディスクが搬送ローラ対３５３、３５４に当接する部分、即ち、ディスクが搬送ローラ対３５３、３５４から搬送力を受ける部分を示すものである。
【０００５】
８ｃｍディスク３９０がディスク挿入口３１１の端部３１１ａに挿入されると、図１６に示すように、搬送ローラ３５３は、８ｃｍディスク３９０の外周部に当接し、８ｃｍディスク３９０を搬送ローラ３５３とガイド部材３４０の摺接面３４１との間に挟持して図中の矢印３０１方向に搬送する。このとき、８ｃｍディスク３９０は、搬送ローラ３５４から離隔している。
【０００６】
８ｃｍディスク３９０が矢印３０１方向に搬送されると、図１７に示すように、定置部材３７０ａが８ｃｍディスク３９０の外周部に当接する。このとき、定置部材３７０ａが８ｃｍディスク３９０の外周部に当接した状態で、搬送ローラ３５３が８ｃｍディスク３９０を矢印３０１方向に押圧することにより、８ｃｍディスク３９０は、図中の矢印３０２方向に回転するとともに、図中の矢印３０３方向に移動する。
【０００７】
８ｃｍディスク３９０が矢印３０３方向に移動すると、図１８に示すように、搬送ローラ３５４が８ｃｍディスク３９０の外周部に当接する。このとき、搬送ローラ３５３の搬送力が搬送ローラ３５４の搬送力よりも大きいので、８ｃｍディスク３９０は、矢印３０２方向に回転するとともに、矢印３０３方向に移動する。
【０００８】
８ｃｍディスク３９０が矢印３０３方向に移動すると、図１９に示すように、定置部材３７０ｂが８ｃｍディスク３９０の外周部に当接する。このとき、搬送ローラ対３５３、３５４は、２つの定置部材３７０ａ、３７０ｂが８ｃｍディスク３９０の外周部に均等に当接するまで８ｃｍディスク３９０の搬送を継続する。そして、搬送ローラ対３５３、３５４は、２つの定置部材３７０ａ、３７０ｂが８ｃｍディスク３９０の外周部に均等に当接し、８ｃｍディスク３９０がディスク保持部３２２に定置した後、８ｃｍディスク３９０の搬送を終了する。
【０００９】
【特許文献１】
特開２００１−３４４８６１号公報
【００１０】
【発明が解決しようとする課題】
しかしながら、上記従来のディスク装置においては、図１８に示した状態で、搬送ローラ３５４が８ｃｍディスク３９０を矢印３０１方向に押圧しているため、８ｃｍディスク３９０の矢印３０２方向の回転および矢印３０３方向の移動、即ち、８ｃｍディスク３９０のセンタリング動作を妨げてしまい、８ｃｍディスク３９０をディスク保持部３２２に確実に定置させることができないという問題があった。
【００１１】
そこで、本発明は、このような問題を解決するため、ディスクをディスク保持部に確実に定置させることができるディスク装置を提供することを目的とする。
【００１２】
【課題を解決するための手段】
上記の課題を解決するために、本発明のディスク装置は、ディスクが挿入されるディスク挿入口が形成された筐体と、前記筐体に回転可能に支持され、前記ディスクを保持するディスク保持部と、前記筐体の前記ディスク挿入口に沿って配設され、前記ディスクの一面に摺接する摺接面を有するガイド部材と、前記筐体に回動可能に支持され、前記ガイド部材の前記摺接面に対して平行に配設された軸部材と、前記軸部材に同軸に保持され、前記筐体の前記ディスク挿入口に挿入された前記ディスクを前記ガイド部材の前記摺接面との間に挟持して前記ディスク保持部に搬送する搬送ローラ対と、前記ディスク保持部の周囲に配設され、前記搬送ローラ対によって搬送された前記ディスクの外周部に当接して前記ディスクを前記ディスク保持部に定置させる定置部材と、前記軸部材に装着され、前記搬送ローラ対の間に介在して前記搬送ローラ対を前記軸部材の両端部側に離隔させる離隔部材とを備えた構成を有している。
【００１３】
この構成により、本発明のディスク装置は、ディスクのセンタリング動作時には、搬送ローラ対の一方がディスクの外周部に当接し、搬送ローラ対の他方がディスクから離隔しているので、ディスクをディスク保持部に確実に定置させることができる。
【００１４】
また、本発明のディスク装置は、前記離隔部材は、少なくとも挿入される前記ディスクに対向する面において前記搬送ローラ対よりも外径が小さくなるように設けられた構成を有している。
【００１５】
この構成により、本発明のディスク装置は、搬送ローラ対がディスクの外周部に当接してディスクを搬送するときに、離隔部材がディスクから離隔しているので、ディスクの損傷を防止することができる。
【００１６】
また、本発明のディスク装置は、前記離隔部材は、前記搬送ローラ対側に位置する両端部と、前記両端部の中間に位置する中間部とを有し、少なくとも挿入される前記ディスクに対向する面において前記両端部から前記中間部に向かって外径が小さくなるように設けられた構成を有している。
【００１７】
この構成により、本発明のディスク装置は、搬送ローラ対の一方がディスクの外周部に当接してディスクを搬送するときに、離隔部材の両端部の一方がディスクの外周部に摺接するので、ディスクの損傷を防止することができる。
【００１８】
また、本発明のディスク装置は、前記離隔部材は、自己潤滑性を有する樹脂によって形成された構成を有している。
【００１９】
この構成により、本発明のディスク装置は、離隔部材がディスクに滑らかに摺接するので、ディスクの損傷を防止することができる。
【００２０】
また、本発明の電子機器は、ディスク装置を備えた構成を有している。
【００２１】
この構成により、本発明の電子機器は、ディスクのセンタリング動作時には、搬送ローラ対の一方がディスクの外周部に当接し、搬送ローラ対の他方がディスクから離隔しているので、ディスクをディスク保持部に確実に定置させることができる。
【００２２】
【発明の実施の形態】
以下、本発明の一実施の形態について、図面を用いて説明する。
【００２３】
図１から図１２は、本実施の形態に係るディスク装置およびディスク装置を備えた電子機器を示す図である。
【００２４】
まず、本実施の形態に係るディスク装置およびディスク装置を備えた電子機器の構成について説明する。
【００２５】
図１において、電子機器１００は、ＤＶＤ、ＣＤなどのディスクを駆動して情報の記録または再生を行うディスク装置２００、カセットテープを駆動して情報の記録または再生を行うカセットテープ装置、ラジオ放送電波を受信して音声信号に復調するラジオ装置などが組み込まれた枠体１１０と、電子機器１００の各種機能を操作する複数の操作釦１２０が配設された操作盤１３０とを備えており、自動車などの車両に搭載されるようになっている。
【００２６】
ディスク装置２００は、図２から図４に示すように、１２ｃｍディスクおよび８ｃｍディスクを含むディスクが挿入されるディスク挿入口２１１が形成された筐体２１０と、筐体２１０に弾性的に支持されたフローティングユニット２２０と、フローティングユニット２２０に回動可能に支持されたクランプユニット２３０と、ディスクの一面に摺接する摺接面２４１を有するガイド部材２４０と、筐体２１０に回動可能に支持され、ガイド部材２４０の摺接面２４１に対向するフィードユニット２５０とを備えている。
【００２７】
筐体２１０は、一面が開口した箱形状のロアシャーシ２１３と、ロアシャーシ２１３の開口端部に固定されたアッパシャーシ２１４とを有しており、電子機器１００の枠体１１０に取り付けられるようになっている。ディスク挿入口２１１は、ロアシャーシ２１３とアッパシャーシ２１４との間に形成されており、ロアシャーシ２１３の角側に位置する端部２１１ａ、２１１ｂと、端部２１１ａ、２１１ｂの中央に位置する中央部２１１ｃとを有している。ガイド部材２４０は、ディスク挿入口２１１に沿って配設され、アッパシャーシ２１４に固定されている。
【００２８】
フローティングユニット２２０は、図示しないバネ、ダンパなどの振動吸収部材を介してロアシャーシ２１３に取り付けられたサスペンションシャーシ２２１と、サスペンションシャーシ２２１に回転可能に支持され、ディスクを保持して回転駆動するディスク保持部としてのターンテーブル２２２と、ターンテーブル２２２を回転させる図示しないモータと、ターンテーブル２２２によって回転駆動されたディスクに光を照射して情報の記録または再生を行う図示しない光ピックアップとを有している。
【００２９】
クランプユニット２３０は、フローティングユニット２２０に取り付けられた取付部２３１ａ、２３１ｂを中心に回動するクランプ板２３１と、バネ２３３を介してクランプ板２３１に弾性的に支持されたディスククランプ２３２とを有しており、ディスクがターンテーブル２２２に保持されるときには、クランプ板２３１がフローティングユニット２２０側に回動し、ディスククランプ２３２がディスクの中心部に当接して、ディスククランプ２３２とターンテーブル２２２との間にディスクを挟持するようになっている。
【００３０】
ガイド部材２４０は、ディスク挿入口２１１に挿入されたディスクの幅方向の位置を規制する規制部２４０ａ、２４０ｂを有しており、規制部２４０ａ、２４０ｂは、ディスク挿入口２１１の端部２１１ａ、２１１ｂに配設されている。ガイド部材２４０は、ポリアセタール（ＰＯＭ）、ポリアミド（ＰＡ）、ポリテトラフルオロエチレン（ＰＴＦＥ）などの自己潤滑性を有する樹脂によって形成されている。
【００３１】
フィードユニット２５０は、ロアシャーシ２１３に取り付けられた取付部２５１ａ、２５１ｂを中心に回動するフィード板２５１と、フィード板２５１に回動可能に支持され、ガイド部材２４０の摺接面２４１に対して平行に配設された軸部材２５２と、軸部材２５２を回動させる図示しないモータと、軸部材２５２に同軸に保持され、ディスク挿入口２１１に挿入されたディスクをガイド部材２４０の摺接面２４１との間に挟持してターンテーブル２２２に搬送する搬送ローラ対２５３、２５４と、軸部材２５２に装着され、搬送ローラ対２５３、２５４の間に介在して搬送ローラ対２５３、２５４を軸部材２５２の端部２５２ａ、２５２ｂ側に離隔させる離隔部材としてのカラー２５５とを有しており、ディスクがターンテーブル２２２に搬送されるときには、フィード板２５１がガイド部材２４０側に回動し、搬送ローラ対２５３、２５４がディスクの外周部に当接して、搬送ローラ対２５３、２５４とガイド部材２４０との間にディスクを挟持するようになっている。
【００３２】
搬送ローラ対２５３、２５４は、軸部材２５２の端部２５２ａ、２５２ｂ側に位置する外端部２５３ａ、２５４ａと、カラー２５５側に位置する内端部２５３ｂ、２５４ｂとを有しており、外端部２５３ａ、２５４ａから内端部２５３ｂ、２５４ｂに向かって外径が小さくなるように設けられたテーパ形状になっている。搬送ローラ対２５３、２５４は、軸部材２５２の外周面に当接する内周面を有しており、軸部材２５２の回動に連動して回動するようになっている。搬送ローラ対２５３、２５４は、シリコンゴム（Ｓｉ）などのゴムによって形成されている。
【００３３】
カラー２５５は、搬送ローラ対２５３、２５４の内端部２５３ｂ、２５４ｂよりも外径が小さくなるように設けられている。カラー２５５は、搬送ローラ対２５３、２５４側に位置する端部２５５ａ、２５５ｂと、端部２５５ａ、２５５ｂの中間に位置する中間部２５５ｃとを有しており、端部２５５ａ、２５５ｂから中間部２５５ｃに向かって外径が小さくなるように設けられた鼓形状になっている。カラー２５５は、軸部材２５２の外周面に摺接する内周面を有しており、フィード板２５１から離隔している。カラー２５５は、ポリアセタール（ＰＯＭ）、ポリアミド（ＰＡ）、ポリテトラフルオロエチレン（ＰＴＦＥ）などの自己潤滑性を有する樹脂によって形成されている。
【００３４】
また、ディスク装置２００は、ターンテーブル２２２の周囲に配設され、搬送ローラ対２５３、２５４によって搬送された１２ｃｍディスクの外周部に当接して１２ｃｍディスクをターンテーブル２２２に定置させる定置部材２６０ａ、２６０ｂと、ターンテーブル２２２の周囲に配設され、搬送ローラ対２５３、２５４によって搬送された８ｃｍディスクの外周部に当接して８ｃｍディスクをターンテーブル２２２に定置させる定置部材２７０ａ、２７０ｂと備えている。なお、ディスクがターンテーブル２２２に定置した状態では、ディスクは、ターンテーブル２２２に対して所定の位置、即ち、ディスククランプ２３２とターンテーブル２２２との間に挟持される位置に停止するようになっている。
【００３５】
定置部材２６０ａ、２６０ｂは、クランプ板２３１の一端からフローティングユニット２２０側に突出する１対の突出片によって構成されている。定置部材２７０ａ、２７０ｂは、クランプ板２３１に移動可能に支持された１対のピンによって構成されている。定置部材２７０ａ、２７０ｂは、クランプ板２３１側に倒伏する第１の位置とフローティングユニット２２０側に突出する第２の位置とに移動するようになっており、図示しない位置規制機構によって、１２ｃｍディスクが搬送されるときには、第１の位置に規制されて１２ｃｍディスクを通過させ、８ｃｍディスクが搬送されるときには、第２の位置に規制されて８ｃｍディスクに当接するようになっている。
【００３６】
搬送ローラ対２５３、２５４は、軸方向の長さがそれぞれ約４０ｍｍであり、８ｃｍディスクがターンテーブル２２２に定置した状態で、搬送ローラ対２５３、２５４の内端部２５３ｂ、２５４ｂが８ｃｍディスクに対して約１０ｍｍ重なる位置に設けられている。カラー２５５は、軸方向の長さが約４０ｍｍであり、搬送ローラ対２５３、２５４の内端部２５３ｂ、２５４ｂの間に位置する軸部材２５２の外周面を被覆するようになっている。
【００３７】
次に、本実施の形態に係るディスク装置の動作について説明する。なお、図５から図１２において、網目状のハッチングを付した部分は、部材の断面を示すものではなく、ディスクが搬送ローラ対２５３、２５４に当接する部分、即ち、ディスクが搬送ローラ対２５３、２５４から搬送力を受ける部分を示すものである。
【００３８】
まず、１２ｃｍディスクを搬送する際の動作について説明する。
【００３９】
１２ｃｍディスク２８０がディスク挿入口２１１に挿入されると、図５に示すように、搬送ローラ対２５３、２５４は、１２ｃｍディスク２８０の外周部に当接し、１２ｃｍディスク２８０を搬送ローラ対２５３、２５４とガイド部材２４０の摺接面２４１との間に挟持して図中の矢印２０１方向に搬送する。このとき、１２ｃｍディスク２８０は、カラー２５５から離隔している。
【００４０】
１２ｃｍディスク２８０が矢印２０１方向に搬送されると、図６に示すように、定置部材２６０ａ、２６０ｂが１２ｃｍディスク２８０の外周部に当接する。このとき、搬送ローラ対２５３、２５４は、２つの定置部材２６０ａ、２６０ｂが１２ｃｍディスク２８０の外周部に均等に当接するまで１２ｃｍディスク２８０の搬送を継続する。そして、搬送ローラ対２５３、２５４は、２つの定置部材２６０ａ、２６０ｂが１２ｃｍディスク２８０の外周部に均等に当接し、１２ｃｍディスク２８０がターンテーブル２２２に定置した後、１２ｃｍディスク２８０の搬送を終了する。
【００４１】
次に、８ｃｍディスクを搬送する際の動作について、８ｃｍディスクがディスク挿入口２１１の中央部２１１ｃに挿入された場合と、８ｃｍディスクがディスク挿入口２１１の端部２１１ａに挿入された場合とに分けて説明する。
【００４２】
８ｃｍディスク２９０がディスク挿入口２１１の中央部２１１ｃに挿入された場合には、図７に示すように、搬送ローラ対２５３、２５４は、８ｃｍディスク２９０の外周部に当接し、８ｃｍディスク２９０を搬送ローラ対２５３、２５４とガイド部材２４０の摺接面２４１との間に挟持して図中の矢印２０１方向に搬送する。このとき、８ｃｍディスク２９０は、カラー２５５から離隔している。
【００４３】
８ｃｍディスク２９０が矢印２０１方向に搬送されると、図８に示すように、定置部材２７０ａ、２７０ｂが８ｃｍディスク２９０の外周部に当接する。このとき、搬送ローラ対２５３、２５４は、２つの定置部材２７０ａ、２７０ｂが８ｃｍディスク２９０の外周部に均等に当接するまで８ｃｍディスク２９０の搬送を継続する。そして、搬送ローラ対２５３、２５４は、２つの定置部材２７０ａ、２７０ｂが８ｃｍディスク２９０の外周部に均等に当接し、８ｃｍディスク２９０がターンテーブル２２２に定置した後、８ｃｍディスク２９０の搬送を終了する。
【００４４】
一方、８ｃｍディスク２９０がディスク挿入口２１１の端部２１１ａに挿入された場合には、図９に示すように、搬送ローラ２５３は、８ｃｍディスク２９０の外周部に当接し、８ｃｍディスク２９０を搬送ローラ２５３とガイド部材２４０の摺接面２４１との間に挟持して図中の矢印２０１方向に搬送する。このとき、８ｃｍディスク２９０は、搬送ローラ２５４から離隔している。
【００４５】
８ｃｍディスク２９０が矢印２０１方向に搬送されると、図１０に示すように、定置部材２７０ａが８ｃｍディスク２９０の外周部に当接する。このとき、定置部材２７０ａが８ｃｍディスク２９０の外周部に当接した状態で、搬送ローラ２５３が８ｃｍディスク２９０を矢印２０１方向に押圧することにより、８ｃｍディスク２９０は、図中の矢印２０２方向に回転するとともに、図中の矢印２０３方向に移動する。
【００４６】
８ｃｍディスク２９０が矢印２０３方向に移動すると、図１１に示すように、カラー２５５の端部２５５ｂが８ｃｍディスク２９０の外周部に摺接する。このとき、搬送ローラ２５３が８ｃｍディスク２９０の外周部に当接し、搬送ローラ２５４が８ｃｍディスク２９０から離隔しているので、８ｃｍディスク２９０は、矢印２０２方向に回転するとともに、矢印２０３方向に移動する。
【００４７】
８ｃｍディスク２９０が矢印２０３方向に移動すると、図１２に示すように、搬送ローラ２５４が８ｃｍディスク２９０の外周部に当接するとともに、定置部材２７０ｂが８ｃｍディスク２９０の外周部に当接する。このとき、搬送ローラ対２５３、２５４は、２つの定置部材２７０ａ、２７０ｂが８ｃｍディスク２９０の外周部に均等に当接するまで８ｃｍディスク２９０の搬送を継続する。そして、搬送ローラ対２５３、２５４は、２つの定置部材２７０ａ、２７０ｂが８ｃｍディスク２９０の外周部に均等に当接し、８ｃｍディスク２９０がターンテーブル２２２に定置した後、８ｃｍディスク２９０の搬送を終了する。
【００４８】
以上説明したように、本実施の形態では、搬送ローラ対２５３、２５４が軸部材２５２の端部２５２ａ、２５２ｂ側に所定距離だけ離隔しており、８ｃｍディスク２９０の矢印２０２方向の回転および矢印２０３方向の移動、即ち、８ｃｍディスク２９０のセンタリング動作時には、搬送ローラ対２５３、２５４の一方が８ｃｍディスク２９０の外周部に当接し、搬送ローラ対２５３、２５４の他方が８ｃｍディスク２９０から離隔しているので、８ｃｍディスク２９０をターンテーブル２２２に確実に定置させることができる。
【００４９】
また、本実施の形態では、搬送ローラ対２５３、２５４がディスクの外周部に当接してディスクを搬送するときに、カラー２５５がディスクから離隔しているので、ディスクの損傷を防止することができる。
【００５０】
また、本実施の形態では、カラー２５５は、搬送ローラ対２５３、２５４の内端部２５３ｂ、２５４ｂよりも外径が小さいので、搬送ローラ対２５３、２５４の一方がディスクの外周部に当接してディスクを搬送するときに、カラー２５５がディスクから離隔しやすく、また、この場合にカラー２５５とディスクが接する場合は、カラー２５５の端部２５５ａ、２５５ｂの一方がディスクの外周部に摺接するので、ディスクの損傷を防止することができる。
【００５１】
また、本実施の形態では、カラー２５５が自己潤滑性を有する樹脂によって形成されており、カラー２５５がディスクに滑らかに摺接するので、ディスクの損傷を防止することができる。
【００５２】
また、本実施の形態において、カラー２５５は、軸部材２５２に装着されてフィード板２５１から離隔しているが、図１３に示すように、カラー２５５を用いたフィードユニット２５０にかえて離隔部材としてカラー３５５を用いたフィードユニット３５０を使用してもよい。図１３は、フィードユニット３５０をディスクが挿入される正面側から見た図である。ここで、カラー３５５は、挿入されるディスクに対向する上面においては、搬送ローラ対２５３、２５４の内端部２５３ｂ、２５４ｂよりも外径が小さく、かつ、搬送ローラ対２５３、２５４側に位置する端部３５５ａ、３５５ｂから、それぞれ端部３５５ａ、３５５ｂの中間に位置する中間部３５５ｃに向かって外径が小さくなり、また、ディスクに対向する面とは逆側の端部３５５ｄがフィード板２５１に固定されている。このように、少なくともディスクに対向する面において搬送ローラ対２５３、２５４よりも外径が小さいカラー３５５を用いた場合にも、ディスクが搬送されるときに、カラー３５５がディスクから離隔、あるいは、カラー３５５の端部３５５ａ、３５５ｂの一方がディスクの外周に摺接するので、ディスクの損傷を防止することができる。
【００５３】
【発明の効果】
以上説明したように、本発明によれば、ディスクをディスク保持部に確実に定置させることができるディスク装置を提供することができる。
【図面の簡単な説明】
【図１】本発明の一実施の形態に係る電子機器の正面図
【図２】本発明の一実施の形態に係るディスク装置の平面図
【図３】本発明の一実施の形態に係るディスク装置の正面図
【図４】本発明の一実施の形態に係るディスク装置の軸部材、搬送ローラ対およびカラーの平面図
【図５】本発明の一実施の形態に係るディスク装置のディスク搬送動作を示す平面図
【図６】本発明の一実施の形態に係るディスク装置のディスク搬送動作を示す平面図
【図７】本発明の一実施の形態に係るディスク装置のディスク搬送動作を示す平面図
【図８】本発明の一実施の形態に係るディスク装置のディスク搬送動作を示す平面図
【図９】本発明の一実施の形態に係るディスク装置のディスク搬送動作を示す平面図
【図１０】本発明の一実施の形態に係るディスク装置のディスク搬送動作を示す平面図
【図１１】本発明の一実施の形態に係るディスク装置のディスク搬送動作を示す平面図
【図１２】本発明の一実施の形態に係るディスク装置のディスク搬送動作を示す平面図
【図１３】本発明の他の実施の形態に係るディスク装置のフィードユニットの正面図
【図１４】従来のディスク装置の平面図
【図１５】従来のディスク装置の正面図
【図１６】従来のディスク装置のディスク搬送動作を示す平面図
【図１７】従来のディスク装置のディスク搬送動作を示す平面図
【図１８】従来のディスク装置のディスク搬送動作を示す平面図
【図１９】従来のディスク装置のディスク搬送動作を示す平面図
【符号の説明】
１００　電子機器
２００　ディスク装置
２１０　筐体
２１１　ディスク挿入口
２２２　ターンテーブル（ディスク保持部）
２４０　ガイド部材
２４１　摺接面
２５２　軸部材
２５２ａ、２５２ｂ　端部
２５３、２５４　搬送ローラ対
２５５　カラー（離隔部材）
２５５ａ、２５５ｂ　端部
２５５ｃ　中間部
２６０ａ、２６０ｂ、２７０ａ、２７０ｂ　定置部材
【図１】
2004095113.tif 000003
【図２】
2004095113.tif 000004
【図３】
2004095113.tif 000005
【図４】
2004095113.tif 000006
【図５】
2004095113.tif 000007
【図６】
2004095113.tif 000008
【図７】
2004095113.tif 000009
【図８】
2004095113.tif 000010
【図９】
2004095113.tif 000011
【図１０】
2004095113.tif 000012
【図１１】
2004095113.tif 000013
【図１２】
2004095113.tif 000014
【図１３】
2004095113.tif 000015
【図１４】
2004095113.tif 000016
【図１５】
2004095113.tif 000017
【図１６】
2004095113.tif 000018
【図１７】
2004095113.tif 000019
【図１８】
2004095113.tif 000020
【図１９】
2004095113.tif 000021